(57)【要約】      （修正有）【課題】管理区域内に設置されている物品の管理情報を漏れなく正確に把握することを可能とし、また、物品の不正搬出／搬入を防止することを可能とする物品管理システムを提供する。【解決手段】ＩＣタグを利用して物品の管理を行う物品管理システムにおいて、物品に装着され物品管理情報の格納する物品管理タグ４と、社員に所有され社員管理情報を格納する社員証明タグ５と、物品の管理区域内に設置されたＩＣタグリーダライタ３を介して前記物品管理タグ４及び前記社員証明タグ５内の管理情報の読取／書込を行い、各タグの管理情報をデータベース４０，５０に蓄えて管理する物品管理装置１とを備える物品管理システム。【選択図】図１
2006259887.tif 000002
【特許請求の範囲】
【請求項１】
ＩＣタグを利用して物品の管理を行う物品管理システムにおいて、
物品に装着され物品管理情報の読取／書込を行う記憶領域を有する物品管理タグと、
社員に所有され社員管理情報の読取／書込を行う記憶領域を有する社員証明タグと、
物品の管理区域内および出入口に設置され各タグの管理情報の読取／書込を行う複数のタグリーダライタと、
前記物品管理タグおよび前記社員証明タグの管理情報が格納されたデータベースと、
前記タグリーダライタを介して各タグの管理情報を取得するタグ情報取得手段、該管理情報を更新する更新手段、および各タグの管理情報を照合する照合手段を有する物品管理装置と、
から構成されることを特徴とする物品管理システム。
【請求項２】
前記物品管理装置の更新手段は、物品管理者または物品管理者の所属に変更が生じた場合、前記データベースに格納された管理情報を更新するとともに、管理区域内に設置された前記タグリーダライタを介して前記物品管理タグの内容を更新することを特徴とする請求項１に記載の物品管理システム。
【請求項３】
物品の管理区域の出入口に前記タグリーダライタを備え、管理区域内／区域外から物品を搬出／搬入する際に、前記タグリーダライタによって搬出／搬入する物品に装着された物品管理タグの物品管理情報と、搬出／搬入を行う社員が所有する社員証明タグの社員管理情報とを読み取り、その読み取った前記物品管理情報と前記社員管理情報とを照合することによって出入口におけるリアルタイムなチェックを行うことを特徴とする請求項１または２に記載の物品管理システム。
【請求項４】
ＩＣタグを利用して物品の管理を行う物品管理方法であって、
物品に装着され物品管理情報が格納された物品管理タグから、物品の管理区域に設置した複数のタグリーダライタを介して前記物品管理タグの管理情報を取得するタグ情報取得ステップと、
取得した前記管理情報をデータベースに格納する情報格納ステップと、
前記管理情報に変更が生じた場合に、前記データベースに格納された管理情報を更新するとともに、前記タグリーダライタを介して前記物品管理タグの管理情報を更新する更新ステップと、
を有することを特徴とする物品管理方法。
【請求項５】
ＩＣタグを利用して物品の管理を行うタグ管理端末における物品管理プログラムであって、
コンピュータに、
物品に装着され物品管理情報が格納された物品管理タグ及び社員に所有され社員管理情報が格納された社員証明タグからそれぞれの管理情報を物品の管理区域内に設置されたタグリーダライタを介して取得するタグ情報取得ステップと、
取得した前記物品管理タグ及び前記社員証明タグの管理情報を管理サーバに送信する情報送信ステップと、
前記管理情報に変更があった場合に、前記管理サーバから変更情報を取得し、タグリーダライタを介して当該変更情報を前記物品管理タグ及び前記社員証明タグに書き込む書込ステップと、
を実行させる物品管理プログラム。
【発明の詳細な説明】
【技術分野】
【０００１】
本発明は、ＩＣ（Integrated Circuit）タグを使用した物品管理システムにおいて、管理区域内に設置されている物品の管理情報を漏れなく正確に把握することを可能とし、また、物品の不正搬出／搬入を防止することを可能とする物品管理システムに関する。
【背景技術】
【０００２】
従来、固定資産等の物品管理システムにおいて、管理区域内に設置されている物品の管理は、管理情報として品名、型番、管理者等の物品管理情報を管理台帳としてサーバ内のデータベースに登録され、物品本体には物品情報を印刷したバーコードを貼り付けることで管理する技術が提案されている（例えば、特許文献１）。
【特許文献１】特開平７−３１１８００号公報
【発明の開示】
【発明が解決しようとする課題】
【０００３】
しかし、従来の方法では、物品管理情報を変更する必要が生じた場合に、データベースに登録された管理情報の変更は比較的容易に行うことはできるものの、物品本体に貼り付けられているバーコードラベルの変更は、貼り替え作業をともない、手間のかかる問題となっている。また、物品の不正搬出／搬入を防止する有効な手段が無い。そのため、物品の所在不明、棚卸が出来ないといった問題が発生する。
【０００４】
そこで、本発明では、上述の問題点を解消するものであり、事務所内に設置されている物品に物品管理情報を格納した非接触のＩＣタグを装着、使用することで、漏れの無い正確な物品管理ができる物品管理システムを提供することを目的とする。
【課題を解決するための手段】
【０００５】
第一の発明は、ＩＣタグを利用して物品の管理を行う物品管理システムにおいて、物品に装着され物品管理情報の読取／書込を行う記憶領域を有する物品管理タグと、社員に所有され社員管理情報の読取／書込を行う記憶領域を有する社員証明タグと、物品の管理区域内および出入口に設置され各タグの管理情報の読取／書込を行う複数のタグリーダライタと、前記物品管理タグおよび前記社員証明タグの管理情報が格納されたデータベースと、前記タグリーダライタを介して各タグの管理情報を取得するタグ情報取得手段、該管理情報を更新する更新手段、および各タグの管理情報を照合する照合手段を有する物品管理装置と、から構成されることを特徴とする物品管理システムに関する。
【０００６】
すなわち、第一の発明によれば、物品管理システムは、物品管理装置が、接続するタグリーダライタを介し、非接触のＩＣタグとして、物品に貼り付けられた物品管理タグ、および社員が所持する社員証明タグから各タグの管理情報を取得してデータベースに格納しておき、該管理情報の変更に際し、データベース内の管理情報を更新することで、同時に全物品に貼り付けられた物品管理タグの内容が一度に更新されることとなる。
【０００７】
また、読み取った各タグの管理情報を照合によって、リアルタイムな照合チェックが可能となる。
【０００８】
第二の発明は、前記物品管理装置の更新手段は、物品管理者または物品管理者の所属に変更が生じた場合、前記データベースに格納された管理情報を更新するとともに、管理区域内に設置された前記タグリーダライタを介して前記物品管理タグの内容を更新することを特徴とする上記第一の発明に記載の物品管理システムに関する。
【０００９】
すなわち、第二の発明によれば、企業の組織体における人事移動等によって生じる物品管理者や管理者の所属部門の変更に対して、物品管理データベースの関連管理情報を更新することで、接続するタグリーダライタを介して、全物品に貼り付けられた物品管理タグの内容が一度に更新されることとなる。
【００１０】
第三の発明は、物品の管理区域の出入口に前記タグリーダライタを備え、管理区域内／区域外から物品を搬出／搬入する際に、前記タグリーダライタによって搬出／搬入する物品に装着された物品管理タグの物品管理情報と、搬出／搬入を行う社員が所有する社員証明タグの社員管理情報とを読み取り、その読み取った前記物品管理情報と前記社員管理情報とを照合することによって出入口におけるリアルタイムなチェックを行うことを特徴とする上記第一または第二の発明に記載の物品管理システムに関する。
【００１１】
すなわち、第三の発明によれば、物品の管理区域の出入口に配置されたタグリーダライタが、物品に貼り付けた物品管理タグと社員が所持する社員証明タグを同時に読み取り、照合手段が、両方のタグに格納されている管理者あるいは所属部門の情報をつき合わせことによって出入口でのリアルタイムなチェックを行う。これによって、不正な物品の搬出／搬入を防止することが可能となる。
【発明の効果】
【００１２】
以上、上記してきた発明により以下の効果が生まれる。
【００１３】
本発明によれば、物品管理装置が、接続するタグリーダライタを介し、非接触のＩＣタグとして、物品に貼り付けられた物品管理タグ、および社員が所持する社員証明タグから各タグの管理情報を取得してデータベースに格納しておき、該管理情報の変更に際し、データベース内の管理情報を更新することで、同時に全物品に貼り付けられた物品管理タグの内容が一度に更新されることとなる。企業の組織体における人事移動等によって生じる煩雑な物品管理者や管理者の所属部門の変更の作業に対して、物品管理データベースの関連管理情報を更新することで、接続するタグリーダライタを介して、全物品に貼り付けられた物品管理タグの内容が一度に更新されることとなり、大きな工数削減が図れる。
【００１４】
また、物品の管理区域の出入口に配置されたタグリーダライタが、物品に貼り付けた物品管理タグと社員が所持する社員証明タグを同時に読み取り、照合手段が、両方のタグに格納されている管理者あるいは所属部門の情報をつき合わせことによって出入口でのリアルタイムなチェックを行う。これによって、不正な物品の搬出／搬入を防止することが可能となる。
【発明を実施するための最良の形態】
【００１５】
以下、図面にもとづいて本発明の実施形態を説明する。
【００１６】
図１は、本発明の第１の実施の形態になる物品管理システムの基本構成を示す。
【００１７】
本物品管理システムは、物品管理ＤＢ (データベース）４０と社員管理ＤＢ（データベース）５０が格納された外部記憶装置２とＩＣタグ情報の読取／書込を行う複数のタグリーダライタ３（物品の管理区域として仕切られた室内用のタグリーダライタ：Ｒ／Ｗ１、Ｒ／Ｗ２・・・Ｒ／Ｗｎ、室の出入口用のタグリーダライタ：Ｒ／Ｗ）を備えた物品管理装置１、物品管理タグ４（タグＡ、タグＢ・・・タグＮ）、および社員証明タグ５（タグａ、タグｂ・・・タグｎ）で構成される。
【００１８】
物品に貼られた物品管理タグ４および社員が所持する社員証明タグ５は、タグリーダライタ３との間で無線通信を行うことによってデータの読取／書込可能な記憶領域を有する非接触のＩＣタグである。また、物品管理ＤＢ４０には、事業所の管理区域に保管する全物品に対する物品名、管理者、設置場所等のタグの管理情報が格納され、社員管理ＤＢ５０には、氏名、所属部門等、全従業員に関する管理情報が格納され、変更のあった場合には、随時、物品管理タグ４および社員証明タグとリンクして更新される。
【００１９】
物品管理装置１は、補助記憶装置（図示していない）に物品管理プログラム１０を内蔵するコンピュータである。また、物品管理プログラム１０は、タグリーダライタ３を介して物品管理タグ４および社員証明タグ５から各タグの管理情報を取得するタグ情報取得手段１１、それらタグの管理情報を外部記憶装置２のデータベースに格納する管理情報格納手段１２、変更が生じた場合にデータベース内およびタグ内の管理情報を更新する更新手段１３、各タグの管理情報を照合する照合手段１４で構成されている。
【００２０】
なお、当該プログラムは、図示していないが、フレキシブルディスク、コンパクトディスク、ＲＯＭ（Read Only Memory）等のコンピュータ読み取り可能な記録媒体に記録され、内蔵あるいは外部接続された媒体読取装置にセットし、起動時にメモリにロードすることによって実行可能な状態としてもよい。
【００２１】
図２は、本発明の実施の形態になるタグリーダライタの配置イメージ図を示す。図は、物品管理区域における物品管理タグ４、社員証明タグ５、およびタグリーダライタ３の配置の概念図を示している。物品管理装置１に接続するタグリーダライタ５は、照合チェック用として出入口部分に設置され、また、パソコン、プリンタ、およびモニタに貼り付けられた物品管理タグＡ〜Ｎ、および社員の所持する（例えば、社員証等への貼り付け）社員証明タグ５（ａ、ｂ）用として通信を可能とする範囲に複数設置される。
【００２２】
図３は、本発明の実施の形態になる物品管理タグおよび社員証明タグのデータ構成を示す。図３−（ａ）に示すように、物品管理タグ４には、タグを特定する識別子としての「管理番号」、「物品名」、物品の管理元である「管理部門」、および「管理者」をフィールド項目とする情報が、タグの記憶領域に格納されている。また、図３−（ｂ）に示すように、社員証明タグ５には、社員を特定する識別子としての「従業員番号」、「氏名」、および社員が所属する部門である「所属」をフィールド項目とする情報が、タグの記憶領域に格納されている。
【００２３】
図４は、本発明の実施の形態になる物品管理データベースのデータ構成を示す。物品管理ＤＢ４０は、事業所にまたがる全物品を管理するもので、「管理番号」、「物品名」、「管理部門」、「管理者」、「設置場所」、および「登録日」の項目からなる複数のレコードで構成されている。「管理番号」、「物品名」、「管理部門」の項目は、物品管理タグ４と同一のものが格納される。また、「設置場所」は、さらに、物品が設置されている「事業所」、その事業所における物品の「保管位置」の項目が格納され、「登録日」は、物品が設置された日付が記される。なお、「保管位置」は、当該物品のタグを読取／書込するタグリーダライタ３の番号でもよい。
【００２４】
図５は、本発明の実施の形態になる社員管理データベースのデータ構成を示す。社員管理ＤＢ５０は、全社員を管理するもので、「従業員番号」、「氏名」、「所属」、「勤務地」、および「連絡先番号」の項目からなる複数のレコードで構成されている。「従業員番号」、「氏名」、「所属」は、社員証明タグ５と同一のものが格納され、さらに、社員の管理項目として「勤務地」、「連絡先番号」の項目が付加されている。
【００２５】
図６は、本発明の実施の形態になる物品管理情報の変更処理フロー( 物品管理者変更の例) を示す。本実施例では、物品管理者が変更になった場合の物品管理タグ４の内容を書き換える変更処理のフローを示すものである。
【００２６】
まず、ステップＳ１１において、物品管理装置１は、システム管理者による対象物品の管理者変更情報の入力を受けて、物品管理ＤＢ４０内の管理情報を更新する。つぎに、ステップＳ１２において、変更後の管理者情報を物品管理区域内に設置されたＩＣカードのタグリーダライタ３に送信する。
【００２７】
さらに、ステップＳ１３において、タグリーダライタ３から管理区域内に存在する物品管理タグ４に向けて管理者変更要求信号を送信する。
【００２８】
一方、物品管理タグ４側では、ステップＳ１４において、管理者変更要求信号を受信して、自身が変更対象となっているかどうかを判定する。その結果、対象でなければ終了し、対象となっていれば、ステップＳ１５において、物品管理タグ４内の物品管理情報の管理者変更を行う。そして、変更処理が済んだ時点で、タグリーダライタ３に管理者変更完了信号を送信する。
【００２９】
ステップＳ１６において、タグリーダライタ３が管理者変更完了信号を受信した時点で本変更処理フローを終了する。
【００３０】
以上では、物品管理者変更の場合を示したが、物品の管理部門が変更になる場合も、図６の変更処理フローは、全く同様に適用される。
【００３１】
図７は、本発明の実施の形態になる物品設置場所の変更処理フローを示す。本実施例では、物品が当初の設置場所を移動した場合を物品管理タグ４との定期的な通信によって検知し、リアルタイムに設置場所変更を行う処理フローを示す。
【００３２】
まず、ステップＳ２１において、物品管理タグ４とタグリーダライタ３との間で所定間隔の通信を行う。例えば、通信間隔は、一日一回、一週間に一回の所定時刻とする。ステップＳ２２において、設置場所が移動されていないかの通信結果を判定する。その結果、通信がＮＧであれば、ステップＳ２８において、物品管理ＤＢ４０内の物品設置場所情報を変更し、“取り外し中”を設定する。
【００３３】
一方、通信がＯＫであれば、ステップＳ２３において、物品管理ＤＢ４０から正常に通信ができた物品の設置場所情報を取得する。また、ステップＳ２４において、正常に通信できたタグリーダライタ３の設置場所を取得する。そして、ステップＳ２５において、取得したタグリーダライタ３の設置場所を物品管理ＤＢ４０の設置場所情報と照合する。
【００３４】
ステップＳ２６において、照合の結果、一致していれば本変更処理フローは終了し、一致していない場合には、物品管理ＤＢ４０内の物品設置場所情報を変更し、通信ができたタグリーダライタ３の設置場所を設定する。
【００３５】
以上のように物品設置場所の変更処理は、物品の管理区域に設置された複数のタグリーダライタ３を介して物品管理タグ４と、例えば、１回／日、１回／週等の周期で定期的に通信することによって、通信した該当のタグリーダライタ３の設置場所情報と物品管理ＤＢ４０の物品管理情報とをつき合わせ、不一致となった場合に、データベース内の設置場所情報を更新することを可能とする。物品の設置場所に移動があったとしても、ＩＣタグが貼られた物品が設置された時点で、タグリーダライタ３によって自動検出され決定されることとなる。
【００３６】
図８は、本発明の実施の形態になる物品を管理区域内／外に搬入／搬出する場合の確認処理フローを示す。本実施例においては、物品管理者または物品管理部門のいずれかが物品管理タグ４および社員証明タグ５について読み取った両者の管理情報が一致すれば、物品の搬入／搬出を許可する例について示す。
【００３７】
まず、ステップＳ３１において、物品の管理区域の出入口に設置したタグリーダライタ３により、管理区域内／外に搬入／搬出する物品管理タグ４内の物品管理情報を読み取る。また、ステップＳ３２において、該タグリーダライタ３により物品の搬入／搬出を行う社員が携帯している社員証明タグ５内の社員管理情報を読み取る。
【００３８】
つぎに、ステップＳ３３において、出入口の該タグリーダライタ３によって読み取った物品管理情報と社員管理情報とを照合する。まず、ステップＳ３４において、管理情報の内、物品管理者と社員氏名の一致を判定する。両者が一致していれば、ステップＳ３５において、搬入／搬出ＯＫの結果を出力する。
【００３９】
結果が一致しない場合には、つぎに、ステップＳ３６において、物品管理部門と社員の所属が一致するかを判定する。両者が一致する場合には、ステップＳ３５において、搬入／搬出ＯＫの結果を出力する。
【００４０】
ステップＳ３６において、両者が一致しなければ、物品管理者または物品管理部門のどちらもＮＧであるため、ステップＳ３７において、搬入／搬出ＯＫの結果を出力する。
【００４１】
ステップＳ３５、およびステップＳ３７の結果出力では、管理区域の出入口あるいは物品管理装置１にモニタを設置し、とくに、ＮＧとなった場合には、警告表示あるいはブザー音による警告音を発する等の方法を採ることによって、不正な搬入／搬出の行為を防止することができる。
【００４２】
図９は、本発明の第２の実施の形態になる物品管理システムの基本構成を示す。前記第１の実施形態の物品管理システムにおける物品管理装置は、基本的には、物品の管理区域内外どこにあってもよいが、第２の実施形態では、一事業所にとどまらず規模を大きくした場合の適用例を示す。すなわち、第２実施形態では、第１の実施形態になる物品管理システムにおける物品管理装置１の役割を、管理区域内のタグを管理するタグ管理端末８と物品管理ＤＢ４０と社員管理ＤＢを一元管理する管理サーバ９とに分割し、タグ管理端末８と管理サーバ９はネットワーク７を介して接続する構成とし、全事業所の物品管理を扱うケースを示している。
【００４３】
タグ管理端末８は、タグリーダライタ３によってタグ情報の読取／書込を行う読取／書込手段１０１、および管理サーバ９との間でネットワーク７を介して読取／書込データを送受信する送受信手段１０２とからなる物品管理プログラム１００を内蔵するコンピュータである。
【００４４】
また、管理サーバ９は、タグ管理端末８から各事務所に配置された物品のタグ情報を取得するタグ情報取得手段２０１、取得したタグ情報を外部記憶装置２の物品管理ＤＢ４０および社員管理ＤＢ５０に格納する情報格納手段２０２、物品の管理情報に変更が生じたときに、これらのデータベース内および各タグ内の管理情報を変更情報に更新する更新手段２０３、およびその更新情報をタグ管理端末に送信する情報送信手段２０４とで構成される物品管理プログラム２００を内蔵するコンピュータである。
【００４５】
なお、タグ管理端末８および管理サーバ９における当該プログラムは、図示していないが、フレキシブルディスク、コンパクトディスク、ＲＯＭ（Read Only Memory）等のコンピュータ読み取り可能な記録媒体に記録され、内蔵あるいは外部接続された媒体読取装置にセットし、起動時にメモリにロードすることによって実行可能な状態としてもよい。
【００４６】
図１０は、本発明の実施の形態になる物品管理情報の変更処理フロー( 物品管理部門変更の例) を示す。本実施例では、物品管理部門が変更される場合の処理フローを示す。
【００４７】
まず、ステップＳ４１において、社員管理ＤＢ５０内の所属が変更になった該当社員の所属情報と社員が携帯している社員証明書タグ５の所属情報を変更する。また、ステップＳ４２において、物品管理ＤＢ５０内の所属が変更になった管理者が管理する全物品の管理部門情報を変更する。
【００４８】
つぎに、ステップＳ４３において、変更後の管理部門情報を各事業所のタグ管理端末８に送信しタグ情報変更を要求する。ステップＳ４４において、全事業所において変更が終了となるまで以下の処理を繰り返し実行する。
【００４９】
ステップＳ４５において、管理区域内設置のタグリーダライタ３から全物品の物品管理タグ４へ変更された管理部門情報の変更要求信号を送信する。
【００５０】
物品管理タグ４側では、ステップＳ４７において、管理部門変更要求信号を受信した時点で、自身が変更対象であるかを判定する。その結果、対象でなければ終了し、対象である場合には、ステップＳ４８において、物品管理タグ４内の物品管理情報の管理部門変更を行い、管理部門変更完了信号をタグリーダライタ３に送信する。
【００５１】
ステップＳ４６において、タグリーダライタ３が管理部門変更完了信号を受信した段階で、一事業所内の変更処理は終了し、つぎの他事業所のタグ管理端末８からのステップＳ４４以降の事業所内の変更処理が全事業所終了となるまで繰り返される。
【００５２】
図１１は、本発明の実施の形態になる物品管理データベースの復旧処理フローを示す。本実施例では、物品管理ＤＢ４０の管理情報が、何らかの原因で破壊されたときに、全事業所の物品管理タグ４からタグリーダライタ３を介して読み取って収集し、データベースを復旧させる例を示す。
【００５３】
まず、ステップＳ５１において、管理サーバ９から全事業所のタグ管理端末８へ物品管理タグ４の読取情報送付を要求する。つぎに、ステップＳ５２以降で、全事業所からの前記読取情報を収集する。
【００５４】
一事業所内では、ステップＳ５３において、タグ管理端末８から管理区域内に設置されたタグリーダライタ３を介して全物品の物品管理タグ４へ管理情報の読出し要求信号を送信する。そして、ステップＳ５４において、物品管理タグ４から応答のあった物品の管理情報を収集する。他事業所のタグ管理端末８からのステップＳ５２以降の事業所内の変更処理が全事業所終了となるまで繰り返される。
【００５５】
ステップＳ５２において、全事業所の読取情報の収集が完了した時点で、ステップＳ５５において、管理サーバ９において全事業所から転送されてきた物品管理情報にしたがって物品管理ＤＢ４０を再構築する。
【００５６】
上記のような復旧処理を行うことによって、データベースが何らかの原因で消滅しても、物品管理装置に備わるタグリーダライタが各物品の物品管理タグと通信することによって、各物品の管理情報を読み取られ、その読取データがデータベースに書き込まれる。これによって、短時間で容易に物品管理データベースの復旧を果たすことが可能となる。
【００５７】
以上述べてきた本発明の実施の態様は、以下の付記に示す通りである。
（付記１）
ＩＣタグを利用して物品の管理を行う物品管理システムにおいて、
物品に装着され物品管理情報の読取／書込を行う記憶領域を有する物品管理タグと、
社員に所有され社員管理情報の読取／書込を行う記憶領域を有する社員証明タグと、
物品の管理区域内および出入口に設置され各タグの管理情報の読取／書込を行う複数のタグリーダライタと、
前記物品管理タグおよび前記社員証明タグの管理情報が格納されたデータベースと、
前記タグリーダライタを介して各タグの管理情報を取得するタグ情報取得手段、該管理情報を更新する更新手段、および各タグの管理情報を照合する照合手段を有する物品管理装置と、
から構成されることを特徴とする物品管理システム。
（付記２）
前記物品管理装置の更新手段は、物品管理者または物品管理者の所属に変更が生じた場合、前記データベースに格納された管理情報を更新するとともに、管理区域内に設置された前記タグリーダライタを介して前記物品管理タグの内容を更新することを特徴とする付記１に記載の物品管理システム。
（付記３）
前記物品管理装置の更新手段は、物品の管理区域において、前記タグリーダライタと前記物品管理タグとの間で定期的に通信を行い、通信を行ったタグリーダライタの設置場所と前記データベースの物品管理情報とを照合し、不一致を検出したときに、前記データベース内の設置場所情報を更新することを特徴とする付記１または２に記載の物品管理システム。
（付記４）
物品の管理区域の出入口に前記タグリーダライタを備え、管理区域内／区域外から物品を搬出／搬入する際に、前記タグリーダライタによって搬出／搬入する物品に装着された物品管理タグの物品管理情報と、搬出／搬入を行う社員が所有する社員証明タグの社員管理情報とを読み取り、その読み取った前記物品管理情報と前記社員管理情報とを照合することによって出入口におけるリアルタイムなチェックを行うことを特徴とする付記１乃至３のいずれかに記載の物品管理システム。
（付記５）
管理区域内に設置されている全物品の管理情報を管理する前記物品管理装置のデータベースが何らかの障害発生で壊れた際に、管理区域内設置の前記タグリーダライタによって全物品の物品管理タグの管理情報を読み取り、読み取った当該管理情報を前記データベースに書き込むことによって復元することを特徴とする付記１に記載の物品管理システム。
（付記６）
ＩＣタグを利用して物品の管理を行う物品管理方法であって、
物品に装着され物品管理情報が格納された物品管理タグから、物品の管理区域に設置した複数のタグリーダライタを介して前記物品管理タグの管理情報を取得するタグ情報取得ステップと、
取得した前記管理情報をデータベースに格納する情報格納ステップと、
前記管理情報に変更が生じた場合に、前記データベースに格納された管理情報を更新するとともに、前記タグリーダライタを介して前記物品管理タグの管理情報を更新する更新ステップと、
を有することを特徴とする物品管理方法。
（付記７）
ネットワークを介し互いに接続する複数のタグ管理端末と管理サーバとからなるＩＣタグを利用した物品管理システムであって、
物品の管理区域内および出入口に設置された複数のタグリーダライタと、物品に装着され物品管理情報が記憶された物品管理タグと社員に所有され社員管理情報が記憶された社員証明タグの各管理情報を前記リーダライタを介して読取／書込する読取／書込手段と、前記管理サーバと前記各タグの管理情報を送受信する送受信手段とを有するタグ管理端末と、
前記物品管理タグおよび前記社員証明タグの管理情報が格納されたデータベースと、前記各タグの管理情報を前記タグ管理端末から取得するタグ情報取得手段と、前記データベースおよび各タグ内の管理情報を更新する更新手段と、該管理情報の変更情報を前記タグ管理端末に送信する情報送信手段とを有する管理サーバと、
で構成されることを特徴とする物品管理システム。
（付記８）
ＩＣタグを利用して物品の管理を行うタグ管理端末における物品管理プログラムであって、
コンピュータに、
物品に装着され物品管理情報が格納された物品管理タグ及び社員に所有され社員管理情報が格納された社員証明タグからそれぞれの管理情報を物品の管理区域内に設置されたタグリーダライタを介して取得するタグ情報取得ステップと、
取得した前記物品管理タグ及び前記社員証明タグの管理情報を管理サーバに送信する情報送信ステップと、
前記管理情報に変更があった場合に、前記管理サーバから変更情報を取得し、タグリーダライタを介して当該変更情報を前記物品管理タグ及び前記社員証明タグに書き込む書込ステップと、
を実行させる物品管理プログラム。
（付記９）
ＩＣタグを利用して物品の管理を行う管理サーバにおける物品管理プログラムであって、
コンピュータに、
タグ管理端末から前記物品管理タグおよび前記社員証明タグの各管理情報を受信するタグ情報受信ステップと、
受信した前記管理情報を物品管理情報データベースおよび社員証明データベ−スとして記憶装置に格納する情報格納ステップと、
前記管理情報に変更があった場合に、前記データベースの管理情報を変更情報に書き換えるとともに前記タグ管理端末へ当該変更情報を送信する情報送信ステップと、
を実行させる物品管理プログラム。
【図面の簡単な説明】
【００５８】
【図１】本発明の第１の実施の形態になる物品管理システムの基本構成を示す図である。
【図２】本発明の実施の形態になるタグリーダライタの配置イメージ図である。
【図３】本発明の実施の形態になる物品管理タグおよび社員証明タグのデータ構成を示す図である。
【図４】本発明の実施の形態になる物品管理データベースのデータ構成を示す図である。
【図５】本発明の実施の形態になる社員管理データベースのデータ構成を示す図である。
【図６】本発明の実施の形態になる物品管理情報の変更処理フロー( 物品管理者変更の例) を示す図である。
【図７】本発明の実施の形態になる物品設置場所の変更処理フローを示す図である。。
【図８】本発明の実施の形態になる物品を管理区域内／外に搬入／搬出する場合の確認処理フローを示す図である。
【図９】本発明の第２の実施の形態になる物品管理システムの基本構成を示す図である。
【図１０】本発明の実施の形態になる物品管理情報の変更処理フロー( 物品管理部門変更の例) を示す図である。
【図１１】本発明の実施の形態になる物品管理データベースの復旧処理フローを示す図である。
【符号の説明】
【００５９】
１  物品管理装置
２  外部記憶装置
３  タグリーダライタ
４  物品管理タグ
５  社員証明タグ
６  管理サーバ
７  社内ＬＡＮ（Local Area Network）
１０  物品管理プログラム
１１  タグ情報取得手段
１２  管理情報格納手段
１３  更新手段
１４  照合手段
４０  物品管理ＤＢ（データベース）
５０  社員管理ＤＢ
【図１】
2006259887.tif 000003
【図２】
2006259887.tif 000004
【図３】
2006259887.tif 000005
【図４】
2006259887.tif 000006
【図５】
2006259887.tif 000007
【図６】
2006259887.tif 000008
【図７】
2006259887.tif 000009
【図８】
2006259887.tif 000010
【図９】
2006259887.tif 000011
【図１０】
2006259887.tif 000012
【図１１】
2006259887.tif 000013